(57)【要約】【課題】トラップ部が無い便器に局部洗浄装置を設置し使用する場合、洗浄水の為に便器内の水位が増え、便器内から汚水が溢れてしまわない装置を提供する。【解決手段】上記目的を達成するため、噴出孔を有するノズルより局部へ洗浄水を噴出して局部の洗浄を行なう局部洗浄装置と、便器内の汚物等を排出するための便器洗浄装置とを有する局部洗浄装置付き便器において、局部洗浄装置の使用回数をカウントするカウント機器と、該カウント機器による使用回数が予め設定した所定回数になると便器洗浄装置を作動させる制御部とを備えることにより、便器内から汚水が溢れる前に排水（便器洗浄）が行われる。【選択図】　　図２
2004100191.tif 000002
【特許請求の範囲】
【請求項１】
噴出孔を有するノズルより局部へ洗浄水を噴出して局部の洗浄を行なう局部洗浄装置と、便器内の汚物等を排出するための便器洗浄装置とを有する局部洗浄装置付き便器において、前記局部洗浄装置の使用回数をカウントするカウント機器と、該カウント機器による使用回数が所定回数になると前記便器洗浄装置を作動させる制御部とを備えた事を特徴とする局部洗浄装置付き便器
【請求項２】
請求項１記載の局部洗浄装置付き便器において、前記カウント機器は前記局部洗浄装置又は前記便器洗浄装置と一体に構成したことを特徴とする局部洗浄装置付き便器
【請求項３】
請求項１記載又は、請求項２記載の局部洗浄装置付き便器において、前記便器洗浄装置が作動すると前記カウント機器のカウントをリセットするリセット手段を備えたことを特徴とする局部洗浄装置付き便器
【請求項４】
請求項１記載又は、請求項２記載の局部洗浄装置付き便器において、前記カウント機器に発信手段を備え、前記便器洗浄装置に受信手段を備え、前記発信手段から発信された信号を受信手段により受信した際に前記便器洗浄装置を作動させることを特徴とする局部洗浄装置付き便器
【請求項５】
請求項１記載又は、請求項２記載の局部洗浄装置付き便器において、前記局部洗浄装置又は／及び前記局部洗浄装置用遠隔リモコンに発信手段を備え、前記カウント機器に受信手段を備え、前記発信手段から発信された信号を受信手段により受信した際に前記カウント機器が作動させることを特徴とする局部洗浄装置付き便器
【請求項６】
噴出孔を有するノズルより局部へ洗浄水を噴出して局部の洗浄を行なう局部洗浄装置と、便器内の汚物等を排出するための便器洗浄装置とを有する局部洗浄装置付き便器において、前記局部洗浄装置の使用水量を検知する水量検知機器と、該検知機器による使用量が所定量になると前記便器洗浄装置を作動して自動的に洗浄を行なう制御部とを備えた事を特徴とする局部洗浄装置付き便器
【請求項７】
請求項５記載の局部洗浄装置付き便器において、前記便器洗浄装置が作動すると前記水量検知機器の使用量をリセットするリセット手段を備えたことを特徴とする局部洗浄装置付き便器
【請求項８】
噴出孔を有するノズルより局部へ洗浄水を噴出して局部の洗浄を行なう局部洗浄装置と、便器内の汚物等を排出するための便器洗浄装置とを有する局部洗浄装置付き便器において、前記局部洗浄装置の給水時間を検知する時間検知機器と、該検知機器による総使用時間が所定時間になると前記便器洗浄装置を作動して自動的に洗浄を行なう制御部とを備えた事を特徴とする局部洗浄装置付き便器
【請求項９】
請求項７記載の局部洗浄装置付き便器において、前記便器洗浄装置が作動すると前記時間検知機器の総使用時間をリセットするリセット手段を備えたことを特徴とする局部洗浄装置付き便器
【発明の詳細な説明】
【０００１】
【発明の属する技術分野】
本発明は、航空旅客機や旅客車両用などで設置されている、節水を目的とした真空式排水便器などの流水式排水便器以外の便器に設置される局部洗浄装置にかかるものである。
【０００２】
【従来の技術】
従来の、局部洗浄装置付き便器は排水トラップ部がある洗い落とし式便器やサイホン式便器などの流水式排水便器であった。
そのため、便器内の水の水位は一定以上あがることはなく、局部洗浄装置にて局部洗浄を繰り返しても、洗浄水によって便器内の汚水が便器内から溢れることはなかった。
しかし、航空旅客機や旅客車両用などで設置されている、節水を目的とした真空式排水便器などの流水式排水便器以外の便器に局部洗浄装置を設置する場合、局部洗浄水を数回使うと流水式排水便器のようなトラップ部が無いため、排水（便器洗浄）しない限り便器内の汚水が増え、便器内から汚水が溢れてしまう。（例えば、特許文献１参照。）
【０００３】
【特許文献１】
特開２００１−３５５２６８号公報（第１図）
【０００４】
【発明が解決しようとする課題】
本発明は、かかる従来の課題を解決するためになされたものであり、流水式排水便器以外に設置された局部洗浄装置を使用しても便器内から汚水が溢れない局部洗浄装置付き便器を提供することを目的とする。
【０００５】
【課題を解決するための手段およびその作用・効果】
上記目的を達成するための局部洗浄装置付き便器は、噴出孔を有するノズルより局部へ洗浄水を噴出して局部の洗浄を行なう局部洗浄装置と、便器内の汚物等を排出するための便器洗浄装置とを有する局部洗浄装置付き便器において、前記局部洗浄装置の使用回数をカウントするカウント機器と、該カウント機器による使用回数が所定回数になると前記便器洗浄装置を作動して自動的に洗浄を行なう制御部とを備えたので、あらかじめ設定した所定回数により便器内の汚水が溢れる前に排水（便器洗浄）を行うことができる。
【０００６】
また、請求項２の発明では、請求項１記載の局部洗浄装置付き便器において、前記カウント機器は前記局部洗浄装置又は便器洗浄装置と一体に構成したことにより、コンパクト化や低コスト化が実施できる。
【０００７】
請求項３の発明では、請求項１記載又は、請求項２記載の局部洗浄装置付き便器において、前記便器洗浄装置が作動すると前記カウント機器のカウントをリセットするリセット手段を備えたので、自動便器洗浄の回数を減らすことができる。
【０００８】
請求項４の発明では、請求項１記載又は、請求項２記載の局部洗浄装置付き便器において、前記カウント機器に発信手段を備え、前記便器洗浄装置に受信手段を備え、前記発信手段から発信された信号を受信手段により受信した際に前記便器洗浄装置を作動することにより、前記カウント機器と前記便座洗浄装置の配線が不要になるため、低コスト化が実施できる。
【０００９】
請求項５の発明では、請求項１記載又は、請求項２記載の局部洗浄装置付き便器において、前記局部洗浄装置に発信手段を備え、前記カウント機器に受信手段を備え、前記発信手段から発信された信号を受信手段により受信した際に前記カウント機器が作動させるので、前記局部洗浄装置の遠隔操作用リモコンの信号から前記カウント機器へ洗浄信号を送信する事が可能となり、前記局部洗浄装置に信号線を設ける必要がなくなるため、低コスト化が実施できる。
【００１０】
請求項６の発明では、前記局部洗浄装置の使用水量を検知する水量検知機器と、該検知機器による使用量が所定量になると前記便器洗浄装置を作動して自動的に洗浄を行なう制御部とを備えるので、便器内の汚水が溢れる前に排水（便器洗浄）を行うことができる。
【００１１】
請求項７の発明では、請求項５記載の局部洗浄装置付き便器において、前記便器洗浄装置が作動すると前記水量検知機器の使用量をリセットするリセット手段を備えたので、自動便器洗浄の回数を減らすことができる。
【００１２】
請求項８の発明では、前記局部洗浄装置の給水時間を検知する時間検知機器と、該検知機器による総使用時間が所定時間になると前記便器洗浄装置を作動して自動的に洗浄を行なう制御部とを備えるので、便器内の汚水が溢れる前に排水（便器洗浄）を行うことができる。
【００１３】
請求項９の発明では、請求項８記載の局部洗浄装置付き便器において、前記便器洗浄装置が作動すると前記時間検知機器の使用時間をリセットするリセット手段を備えたので、自動便器洗浄の回数を減らすことができる。
【００１４】
【発明の実施の形態】
以下、本発明の実施の形態を添付図面に基づいて説明する。
【００１５】
図１は、本発明のトイレシステムの概略斜視図である。
図１に示すように、トイレ内では腰掛式の便器００１の上面に局部洗浄装置１００が装着されており、この該局部洗浄装置は後壁に設けられたコンセントから電源コード１０２を通じて電気エネルギーを受け取っている。洗浄回数の信号を送信する信号線２５２が該局部洗浄装置と後ろ壁へ配線されている。
また、同じく後壁内に設けられ給水源は該局部洗浄装置と可逆性を有する連結ホース１０４で接続されており、給水した水は該局部洗浄装置内の水回路（図２参照）を通じてノズル１０６から人体の局部に噴射され、後ろ壁内に設けられた便器洗浄ＳＷ３０６（便器洗浄スイッチ）を操作する事により便器洗浄が開始する。
【００１６】
なお、局部洗浄装置は、この便器に対して着脱自在に装着されており、この装着状態は着脱ＳＷ（着脱スイッチ）２３８（図２参照）によって検出されるようになっている。
可動止水栓１０８は、回転自在になっており（図３参照）着脱時に連結ホースが折れる事を防いでいる。
【００１７】
図２は、局部洗浄装置付き便器の水回路を示したものである。
図２において、局部洗浄装置側を給水源側（上流側）から下流に向かって説明する。
給水源より、給水源止水栓と該連結ホースと該可動止水栓が接続され、該可動止水栓は給水接続金具２００と接続される。２０２は給水源への逆流防止のための逆止弁、２０４は給水された洗浄水中の異物を除去するストレーナ、該逆止弁と該ストレーナは一体構造の栓となっている。２０６は給水圧の変動によらず下流を一定の圧力に保つ調圧弁、２０８は主流路電磁弁、２１０は下流の圧力が上昇した場合にその圧力上昇を抑えるためのリリーフ弁、２１２は給水された洗浄水を加熱する温水タンク、２１４は第二の真空破壊弁、２１６は流調弁（絞り弁）、２１８は切替弁、２２０は伸出収納自在であって表面にＰＰ（ポリプロピレン）製のフィルムを装着した噴出孔を有するノズル、２２２はノズル伸縮駆動モータである。
また、２２４は主流路２２６の該調圧弁と該主流路電磁弁の間から分岐した胴体洗浄流路、２２８は胴体洗浄流路を開閉する胴体洗浄電磁弁、２３０は第一の真空破壊弁である。
【００１８】
これらの構成部材は、電子制御部２３２（制御手段）の出力側に点線で示すように接続されている。該電子制御部から下される命令に従って動作する。
また、この該電子制御部の入力側には、該温水タンクの水位を検出するフロートＳＷ（フロートスイッチ）２３４、着座ＳＷ（着座スイッチ）２３６、着脱ＳＷ（着脱スイッチ）２３８、おしり洗浄ＳＷ（おしり洗浄スイッチ）２４０ａ、ビデ洗浄ＳＷ（ビデ洗浄スイッチ）２４０ｃ、乾燥ＳＷ（乾燥スイッチ）２４０ｄ、止ＳＷ（止スイッチ）２４０ｅ、ノズル掃除ＳＷ（ノズル掃除スイッチ）２４０ｆ、水量（水勢）調節ＳＷ（水量（水勢）調節スイッチ：図示しない）等が点線で示すように接続されている。
【００１９】
なお、ここで、該流調弁（絞り弁）、該切替弁を説明のために、別々のブロックとしているが、一体で構成することも可能であり、以下の説明では一体として流調切替弁として説明する。この場合、該流調切替弁には、１つの流入路に対して２つの流出路を備えており、かつ内臓する弁は、流入路と流出路の連通面積を回転角度により、選択的に可変かつ止水可能な構成としている。また。弁はステッピングモータの駆動力により回転可能としている。
【００２０】
次に便器洗浄装置について、給水源側（上流側）から下流に向かって説明する。
【００２１】
給水源から分岐された便器洗浄用配管と便器面洗浄用開閉弁３００と接続され、該便器面洗浄開閉弁と該腰掛け便器接続される。
便器排水口と真空開閉弁３０２が接続され、該真空開閉弁は真空配管と接続される。
【００２２】
これらの構成部材は、便器洗浄機器３０４（制御手段）の出力側に点線が示すように接続されており、該便器洗浄機器からの出力により動作する。
また、この該便器洗浄機器の入力側には、使用者が使用する該便器洗浄ＳＷ（スイッチ）、該電子制御部から洗浄信号を受け取り所定回数毎に信号を出力するカウント機器２５０が点線で示すように接続されている。
【００２３】
該温水タンクは、図４に示すように、該温水タンク内の水位が所定の水位以上であるときにＯＮ、所定の水位以下のときにＯＦＦとなる該フロートＳＷを始め、温水サーミスタ、大気に開閉自在な該第二の真空破壊弁（バキュームブレーカ）、第二の開口とこの第二の開口を開閉する水抜栓、温水ヒータ、バイメタルスイッチ等が付属してある。
【００２４】
図５は、該ノズルの外観を示す斜視図である。
図５において、おしり洗浄用噴出孔２２０ａは肛門に向かって洗浄水を噴射するものであり、ビデ洗浄噴出孔２２０ｃは女性のビデに向かって洗浄水を噴射するものである。
【００２５】
また、洗浄部屋構成部材５００は、ガイド５０２に沿って移動する該ノズルの伸縮軌跡上に配設されている。該洗浄部屋構成部材において、該胴体洗浄流路から給水されたノズル胴体洗浄用の洗浄水は、該洗浄部屋構成部材の内側に設けられた胴体洗浄口から噴射され、破線の矢印で示すような経路をたどって伸縮中の該ノズルの表面を洗浄するのである。
【００２６】
図６は、該ノズルの伸縮状態を説明するための説明図である。
図６において、収納状態にある該ノズルを実線で示し、伸出状態にある該ノズルを破線で示す。また、ａ、ｂはそれぞれ人体局部である肛門、ビデの洗浄位置であり、Ａ、Ｂはそれぞれ肛門ａ（おしり洗浄）、ビデｂ（ビデ洗浄）に対して洗浄水を噴射するためのノズルの伸出位置である。
なお、おしり洗浄をするときには、ＡとＢとの中間（便宜上Ｃとする）となるが煩雑となるため図示は省略してある。
【００２７】
また、図６において、矢印で示すように、伸出位置Ａ、Ｂ、Ｃにおいて該ノズルを微少ストロークで往復移動させることにより、局部の洗浄範囲を拡大できる。
【００２８】
さらに、到達する位置を瞬間的に変化させることによって、瞬時に広範囲に亘って局部を洗浄することが可能となる。また、繰り返し位置を変化させることで、瞬時に異なる洗浄感を味わうことができ、単調感をなくすことができる。
【００２９】
以上の構成において、人体に対して洗浄水を噴射するまでに人体局部洗浄装置付き便器の水回路を構成する部位の動作を説明する。
【００３０】
まず、待機状態（着座ＳＷはＯＮ状態）では、該おしり洗浄ＳＷ、該主流路電磁弁、該胴体洗浄電磁弁はＯＦＦ状態（非動作状態）にあり、該ノズルは収納状態、該流調切替弁は、流入路と２つの流出路が全て連通された位置（＝ＳＣ）にある。
【００３１】
次に、肛門への洗浄水の噴射要求としての該おしりＳＷが操作されると、該主流路電磁弁がＯＮ状態（水路開放状態）となり、収納状態にある該ノズルの噴出孔から洗浄水が噴射される。この噴射された洗浄水は対面に配設された該洗浄部屋構成部材に反射し、該ノズルを洗浄する（＝前洗浄）。
前洗浄終了後（すなわち、該主流路電磁弁をＯＦＦ状態とした後）、該温水タンクに籠もった圧力を開放する（＝圧抜き）。
圧抜き後、該流調切替弁は止水位置に移動（＝流調移動）する。
流調移動後、該ノズルが伸出するが、ノズル伸出開始に少し遅れて（０．３秒程度）該胴体洗浄電磁弁がＯＮ状態（水路開放状態）となり、伸出中の該ノズルの表面を洗浄する（＝伸出（胴体洗浄））。
【００３２】
伸出（胴体洗浄）後、実際のおしり洗浄するため、該主流路電磁弁をＯＮ状態とし、該流調切替弁による水路開放を徐々に進行させる（＝ソフトスタート）。
ソフトスタート後、人体の好みの水勢による局部洗浄をする（＝本洗浄）。
【００３３】
洗浄水の止水要求としての該止ＳＷ（又は該乾燥ＳＷ）が操作されると、該主流路電磁弁がＯＦＦ状態（水路閉鎖状態）となり、洗浄水の噴射が停止するが、その際、該ノズル、該流調切替弁、はそのままの状態を保持し、該温水タンクに籠もった圧力を開放させる（＝圧抜き）。
【００３４】
圧抜き後、該流調切替弁を止水位置に移動させる（＝流調移動）。
流調移動完了後、該ノズルを収納位置へ収納すると同時に該胴体洗浄電磁弁をＯＮ状態とし、該ノズルの表面を洗浄する（＝収納（胴体洗浄））。
ここで、該ノズルの収納終了よりもやや早く（０．５秒程度）胴体洗浄電磁弁３２をＯＦＦする。
【００３５】
収納（胴体洗浄）後、該流調切替弁をＳＣ位置に移動させ、該主流路電磁弁がＯＮ状態（水路開放状態）となり、収納状態にある該ノズルの噴出孔から洗浄水が噴射される。この噴射された洗浄水は対面に配設された該洗浄部屋構成部材に反射し、該ノズルを洗浄する（＝後洗浄）。
【００３６】
後洗浄後、該流調切替弁を原点位置に移動させ（＝原点合わせ）、さらに、該流調切替弁をＳＣ位置に移動させ（＝流調移動）、洗浄終了となる
【００３７】
図７のフローチャートにおいて、局部洗浄装置の洗浄終了となると、該電子制御部より該カウント機器へ洗浄終了信号が出力される。該カウント機器は、所定回数（ｎ回）をカウントすると、該便器洗浄機器に信号を出力する。
【００３８】
便器洗浄は、該便器洗浄機器が該カウント機器からの信号を受け取る、又は、該便器洗浄ＳＷからの操作信号を受け取ると、該便器面洗浄開閉弁が作動し便器面に給水が開始される。次に真空開閉弁が作動し汚物を含んだ汚水を吸引し、外部へ排水を行う。
【００３９】
なお、該おしり洗浄ＳＷの代わりに、該ビデＳＷが操作された場合、局部洗浄装置の水回路は、おしり洗浄の場合とほぼ同様な動作を実行する。
【００４０】
また、該カウンタ機器はおしり洗浄回数とビデ洗浄の個別の洗浄回数を判別せず、例えば、おしり洗浄を１回使用し、ビデ洗浄を１回使用すると、合計２回としてカウントする。
【００４１】
上述した実施の形態は上記に限定されることなく、たとえば下記のように変更することも可能である。
【００４２】
（１）本実施例では、カウント機器が別機器として図示しているが、例えば電子制御部にカウント機器と同様な機能を持たせることや、便器洗浄機器にカウント機器と同様な機能を持たせることも可能である。（請求項２）
【００４３】
（２）本実施例では、カウント機器は便器洗浄ＳＷで便器洗浄が作動した場合でも、カウントを記憶している構造となっている。例えば、所定洗浄回数を２回と設定した場合、使用者が局部洗浄１回使用して便器洗浄ＳＷにて便器洗浄をおこなうと、次の使用者が局部洗浄をすると前使用者の洗浄回数がカウントされているため始めの局部洗浄終了後すぐに便器洗浄を行ってしまい、無駄な便器洗浄をおこなってしまう。カウント機器が便器洗浄機器と一体になっている場合、又は、便器洗浄ＳＷと便器洗浄機器の接続をカウント機器経由で接続することで、便器洗浄ＳＷにて便器洗浄をした場合、カウントはリセットをすることが可能となり無駄な自動便器洗浄を無くす事ができる。（請求項３）
【００４４】
（３）本実施例では、カウント機器と便器洗浄装置は信号線で結ばれているが、前記カウント機器に発信手段を備え、前記便器洗浄装置に受信手段を備え、前記発信手段から発信された信号を受信手段により受信した際に前記便器洗浄装置を作動することにより、前記カウント機器と前記便座洗浄装置の配線が不要になるため、低コスト化が実施できる。（請求項４）
【００４５】
（４）本実施例では、局部洗浄装置とカウント機器は信号線で結ばれているが、前記局部洗浄装置に発信手段を備え、前記カウント機器に受信手段を備え、前記発信手段から発信された信号を受信手段により受信した際に前記カウント機器が作動させるので、例えば、前記局部洗浄装置の遠隔操作用リモコン（図示なし）の信号から前記カウント機器へ洗浄信号を送信する事が可能となり、前記局部洗浄装置に信号線を設ける必要がなくなるため、低コスト化が実施できる。リモコンからの信号は赤外線や無線などで発信が可能である。（請求項５）
【００４６】
（５）本実施例では、所定洗浄回数にて便器内の汚水が溢れる前に自動排水（便器洗浄）を行うことができるようにしているが、局部洗浄装置の使用水量を検知する水量検知機器として、ステッピングモータを使用で回度検出ができる流量調整弁と電子制御部にて使用水量を演算し、所定量になると便器洗浄装置へを作動信号を送信して便器洗浄を行なうことにより、便器内の汚水が溢れる前に排水（便器洗浄）を行うことも可能である。（請求項６）また、前記便器洗浄装置が作動すると前記水量検知機器の使用量をリセットするリセット手段を該電子制御機器又は、前記便器洗浄装置に備えたので、自動便器洗浄の回数を減らすことも可能となる。（請求項７）
【００４７】
（６）本実施例では、所定洗浄回数にて便器内の汚水が溢れる前に自動排水（便器洗浄）を行うことができるようにしているが、局部洗浄装置の給水時間を検知する時間検知機器として電子制御部を使い、該検知機器による総使用時間が所定時間になると便器洗浄装置へを作動信号を送信して便器洗浄を行なうことにより、便器内の汚水が溢れる前に排水（便器洗浄）を行うことも可能である。（請求項８）また、前記便器洗浄装置が作動すると前記時間検知機器の使用量をリセットするリセット手段を該電子制御機器又は、前記便器洗浄装置に備えたので、自動便器洗浄の回数を減らすこと可能となる。（請求項９）
【００４８】
【図面の簡単な説明】
【図１】局部洗浄装置付き便器の外観を示す斜視図
【図２】局部洗浄装置付き便器の水回路
【図３】可動止水栓の外観を示す斜視図
【図４】温水タンクの外観を示す斜視図
【図５】ノズルの外観を示す斜視図
【図６】ノズルの伸縮状態を説明するための説明図
【図７】局部洗浄装置と連動した便器洗浄のフローチャート
【符号の説明】
便器・・００１
局部洗浄装置・・１００
電源コード・・１０２
連結ホース・・１０４
可動止水栓・・１０８
給水接続金具・・２００
逆止弁・・２０２
ストレーナ・・２０４
調圧弁・・２０６
主流路電磁弁・・２０８
リリーフ弁・・２１０
温水タンク・・２１２
第二の真空破壊弁・・２１４
流調切替弁（絞り弁）・・２１６
切替弁・・２１８
ノズル・・２２０
おしり洗浄用噴出孔・・２２０ａ
ビデ洗浄用噴出孔・・２２０ｃ
ノズル伸縮駆動モータ・・２２２
胴体洗浄流路・・２２４
主流路・・２２６
胴体洗浄電磁弁・・２２８
第一の真空破壊弁・・２３０
電子制御部・・２３２
フロートスイッチ・・２３４
着座スイッチ・・２３６
着脱スイッチ・・２３８
おしり洗浄スイッチ・・２４０ａ
ビデ洗浄スイッチ・・２４０ｃ
乾燥スイッチ・・２４０ｄ
止スイッチ・・２４０ｅ
ノズル掃除スイッチ・・２４０ｆ
カウント機器・・２５０
信号線・・２５２
便器洗浄開閉弁・・３００
真空開閉弁・・３０２
便器洗浄機器・・３０４
便器洗浄スイッチ・・３０６
洗浄部屋構成部材・・５００
ガイド・・５０２
【図１】
2004100191.tif 000003
【図２】
2004100191.tif 000004
【図３】
2004100191.tif 000005
【図４】
2004100191.tif 000006
【図５】
2004100191.tif 000007
【図６】
2004100191.tif 000008
【図７】
2004100191.tif 000009